(57)【要約】  【課題】常温の食品を新規投入保存しても食品が正常に適正温度に冷却されている場合は除霜を行わず保存食品を早急に最適温度まで冷却し、また既存貯蔵食品の温度上昇を抑制して食品を傷めることなく変動の少ない安定した温度で長期保存を可能にし、平均運転率の削減で省エネを実現し、尚且つ安価な冷蔵庫を提供することを目的とする。  【解決手段】圧縮機４と、蒸発器６と、除霜ヒータ７と、庫内冷却用ファンモータ５と、冷蔵室３の温度検知装置８とからなる冷却システムを備えた冷蔵庫１において、除霜周期を可変させるものである。  これによって省エネを実現し、尚且つ構成部品が削減されシンプルで安価な冷蔵庫を製作できる。【選択図】図１
2010043806.tif 000002
【特許請求の範囲】
【請求項１】
圧縮機と、蒸発器と、除霜ヒータと、庫内冷却用ファンモータと、冷蔵室の温度検知装置とからなる冷却システムを備えた冷蔵庫において、除霜周期を可変させることを特徴とする冷蔵庫。
【請求項２】
前記温度検知装置により貯蔵室温度を検知し通常の前記圧縮機の積算運転時間による定時除霜周期を延長させることを特徴とする請求項１に記載の冷蔵庫。
【請求項３】
除霜終了後の複数回検知により貯蔵室温度挙動を判断して通常の前記圧縮機の積算運転時間による定時除霜周期を延長させることを特徴とする請求項１または２に記載の冷蔵庫。
【請求項４】
前記温度検知装置により貯蔵室温度を検知し前記庫内冷却用ファンモータの回転数を可変させて風量バランスを変化させることを特徴とする請求項１から３のいずれか一項に記載の冷蔵庫。
【請求項５】
前記冷蔵庫の各貯蔵室の温度調節を冷蔵室に設けた検知装置で前記圧縮機の運転制御をおこなうことを特徴とする請求項１から４のいずれか一項に記載の冷蔵庫。
【請求項６】
前記冷蔵庫の温度調節装置がなく自動で温度調節することを特徴とする請求項１から５のいずれか一項に記載の冷蔵庫。
【請求項７】
前記冷蔵庫の前記蒸発器が冷凍室内に配置され冷蔵室が冷凍室よりも上方に位置することを特徴とする請求項１から６のいずれか一項に記載の冷蔵庫。
【発明の詳細な説明】
【技術分野】
【０００１】
本発明は、不必要な除霜開始を延期させて食品昇温を抑制できる冷蔵庫に関するものである。
【背景技術】
【０００２】
近年、冷蔵庫を使用する環境は多様であり求められる品質は厳しいものとなっている。そのため如何なる使用条件下においても庫内温度を確保しなければならず、更にグルメ志向によって保存食品を早急に冷却し最適温度で長期保存させるようになってきている（例えば、特許文献１参照）。
【０００３】
以下、図面を参照しながら、上記従来の冷蔵庫について説明する。
【０００４】
図２は、特許文献１に記載された従来の冷蔵庫１の縦断面図、図３はその要部拡大図、図４は従来の制御チャートを示すものであり、圧縮機４と庫内冷却用ファンモータ５と蒸発器６と除霜ヒータ７と温度検知装置８とより成っている。
【０００５】
上記構成において、冷蔵室３内に設置した温度検知装置８によって庫内温度が変動すると圧縮機４と庫内冷却用ファンモータ５の運転／停止制御を繰り返し行い、蒸発器６で冷却した冷気を冷蔵室冷気吐出風路１０経由で冷蔵室３へ、また冷凍室冷気吐出風路９経由で冷凍室２へ供給して温度の調節を行っている。また除霜ヒータ７は圧縮機４の動作時間を積算し任意に設定した時間に到達すると通電して除霜を開始し、蒸発器６の冷却効率劣化を抑制させている。
【特許文献１】特開昭５８−１６１７２号公報
【発明の開示】
【発明が解決しようとする課題】
【０００６】
しかしながら、上記従来の冷蔵庫では、常温の食品を新規投入保存し冷却を開始している途中でも圧縮機の運転積算時間が設定時間となると除霜を開始するため新規投入食品の最適保存温度到達時間が遅延してしまい、また既存貯蔵食品の温度上昇が大きくなるため食品を傷めてしまうという課題を有していた。
【０００７】
本発明は上記従来の課題を解決するものであり、常温の食品を新規投入保存しても食品が正常に適正温度に冷却されている場合は除霜を行わず保存食品を早急に最適温度まで冷却し、また既存貯蔵食品の温度上昇を抑制して食品を傷めることなく変動の少ない安定した温度で長期保存を可能にし、平均運転率の削減で省エネを実現し、尚且つ安価な冷蔵庫を提供することを目的とする。
【課題を解決するための手段】
【０００８】
上記従来の課題を解決するために、本発明の冷蔵庫は常温の食品を新規投入保存しても食品が正常に適正温度に冷却されている場合は除霜を行わず保存食品を早急に最適温度まで冷却することを特徴とするものである。
【０００９】
これによって温度調節装置、電動ダンパ装置等の高価部品を搭載しなくても保存食品を早急に最適温度まで冷却し、また既存貯蔵食品の温度上昇を抑制して食品を傷めることなく変動の少ない安定した温度で長期保存を可能にし、温度変動も少なくなるため平均運転率が削減でき省エネを実現し、尚且つ構成部品が削減されシンプルで安価な冷蔵庫を製作できる。
【発明の効果】
【００１０】
本発明の冷蔵庫は、高価な制御部品を搭載しなくても、常温の食品を新規投入保存しても食品が正常に適正温度に冷却されている場合は除霜を行わないことで保存食品を早急に最適温度まで冷却することができ、また既存貯蔵食品の温度上昇を抑制して食品を傷めることなく変動の少ない安定した温度で長期保存を可能にし、省エネで安価な冷蔵庫を提供することができる。
【発明を実施するための最良の形態】
【００１１】
本発明は、冷却運転制御を庫内温度の検知によって行っている圧縮機と、冷蔵室に設置してある庫内温度検知装置と、冷凍室内に設置固定した蒸発器と、外気温度を検知して庫内温度の適正制御を行う庫内冷却用ファンモータとからなる冷却システムを備え、除霜装置として圧縮機の運転時間を積算して定時間で除霜を開始するガラス管ヒータを設置し、冷凍室が冷蔵室よりも下方に位置している冷蔵庫において、常温の食品を新規投入保存しても食品が正常に適正温度に冷却されている場合は圧縮機の運転積算時間が任意に設定されている積算時間になっても除霜を行わず、保存食品を早急に最適温度まで冷却することにより温度調節装置、電動ダンパ装置等の高価部品を搭載しなくても保存食品を早急に最適温度まで冷却し、また既存貯蔵食品の温度上昇を抑制して食品を傷めることなく変動の少ない安定した温度で長期保存を可能にし、温度変動も少なくなるため平均運転率が削減でき省エネを実現し、尚且つ構成部品が削減されシンプルで安価な冷蔵庫を製作できる。
【００１２】
以下、本発明の実施の形態について、図面を参照しながら説明する。なお、この実施の形態によってこの発明が限定されるものではない。
【００１３】
（実施の形態１）
図１（ａ）は本発明の実施の形態１における制御チャート、図１（ｂ）は動作マトリックスを示す図である。
【００１４】
図１において、４は圧縮機の５はファンモータの動作状態を示すものであり圧縮機４とファンモータ５は同期して動作している。除霜ヒータ７は圧縮機４の運転積算時間Ｔｃ１１毎に除霜を開始するよう設定してある。
【００１５】
またファンモータ５は２速運転制御をしており冷蔵室３の庫内温度ｔを温度検知装置８で検知して庫内温度がｔｃ１３を上回ると高速回転モードへ庫内温度がｔｃ１３を下回ると低速回転モードへ切替るよう制御しており、除霜終了毎に直後Ｃ１と任意の時間経過後Ｃ２（例えば２００分後）念押しＣ３（例えば２０５分後）の３回ファンモータ５の回転モード検知Ｃ１４を実施するよう設定してある。
【００１６】
以上のように構成された冷蔵庫について、以下その動作、作用を説明する。
【００１７】
冷蔵室３の庫内温度（既存食品温度）が食品保存最適温度帯で安定している状態においては圧縮機４とファンモータ５は同期して温度検知装置８の温度ｔが任意に設定した庫内温度（例えば４℃）に近づけるべく間欠運転を繰り返して運転率を調整している。
【００１８】
ファンモータ５は任意に設定した回転モード切替温度ｔｃ１３（例えば１０℃）を下回っているため低速回転で冷気を庫内に供給している。その状態から新規に常温食品を投入すると庫内温度が上昇して温度検知装置８の温度ｔが上昇、圧縮機４とファンモータ５が連続運転となり運転率を増加させて設定温度の維持を図る。運悪くこの時点で圧縮機４の運転積算時間Ｔｃ１１が任意に設定した積算時間（例えば８時間）となり除霜ヒータ７を通電させて除霜を開始すると、庫内温度は圧縮機４とファンモータ５が停止して冷却が中断され且つ除霜ヒータ７の発熱暖気が冷凍室冷気吐出風路９冷蔵室冷気吐出風路１０を経由して更に上昇してしまう。
【００１９】
除霜終了後、圧縮機４とファンモータ５は冷却運転を再開するが庫内温度は回転モード切替温度ｔｃ１３を上回っているため回転モード切替温度ｔｃ１３を下回るまで高速回転で冷気を庫内に供給する。通常除霜終了後、次回の除霜は圧縮機４の運転積算時間Ｔｃ１１が設定時間になると除霜ヒータ７を通電させて除霜を開始するが、庫内温度が正常に低下し貯蔵食品が食品保存最適温度に向けて冷却途上にある場合、除霜開始により再度庫内温度が上昇して食品保存不適切温度時間Ｔ１２が延長してしまうため、除霜終了直後のファンモータ５が高速／低速どちらの回転モードかを検知１４Ｃ１させて庫内に温度が大きく変化する負荷変動があったかの判断をさせ、更に任意時間経過後のファンモータ５が高速／低速どちらの回転モードかを検知１４Ｃ２させて除霜後の負荷変動の有無と蒸発器６の着霜・目詰り状態を判断させ、検知１４Ｃ２においてファンモータ５が停止していた場合の念押し確認として検知１４Ｃ３を配する複数回検知によって次回の除霜が必要かどうかの判断をさせて、不必要であれば次回の除霜は開始せず圧縮機４の運転積算時間Ｔｃをリセットさせるため、保存食品を早急に食品保存最適温度帯まで冷却することで食品保存不適切温度時間Ｔを短縮することができ、また既存貯蔵食品の温度上昇を抑制して食品を傷めることなく変動の少ない安定した温度で長期保存を可能にし、温度変動も少なくなるため平均運転率が削減でき省エネを実現し、また冷凍室２が冷蔵室３より下方に位置しているためファンモータ５の高速回転時間が削減されると冷凍室２への風量バランスが変化し増加するため冷却速度を速めることもでき、部品点数も少なく安価で品質安定にも寄与することができる。
【産業上の利用可能性】
【００２０】
以上のように、本発明にかかる冷蔵庫は、常温の食品を新規投入保存しても食品が正常に適正温度に冷却されている場合は圧縮機の運転積算時間が任意に設定されている積算時間になっても除霜を行わず、保存食品を早急に最適温度まで冷却することにより温度調節装置、電動ダンパ装置等の高価部品を搭載しなくても保存食品を早急に最適温度まで冷却し、また既存貯蔵食品の温度上昇を抑制して食品を傷めることなく変動の少ない安定した温度で長期保存を可能にし、温度変動も少なくなるため平均運転率が削減でき省エネを実現し、尚且つ構成部品が削減されシンプルで安価な冷蔵庫を提供することができるもので冷凍冷蔵機器全般の用途にも適用できる。
【図面の簡単な説明】
【００２１】
【図１】（ａ）本発明による冷蔵庫の実施の形態１における制御チャート（ｂ）動作マトリックスを示す図
【図２】従来の冷蔵庫の縦断面図
【図３】従来の冷蔵庫の要部拡大図
【図４】従来の制御チャート
【符号の説明】
【００２２】
１    冷蔵庫
２    冷凍室
３    冷蔵室
４    圧縮機
５    庫内冷却用ファンモータ
６    蒸発器
７    除霜ヒータ
８    温度検知装置
９    冷凍室冷気吐出風路
１０  冷蔵室冷気吐出風路
１１  除霜開始圧縮機運転積算時間Ｔｃ
１２  食品保存不適切温度時間Ｔ
１３  ファンモータ回転モード切替温度ｔｃ
１４  回転モード検知Ｃ
【図１】
2010043806.tif 000003
【図２】
2010043806.tif 000004
【図３】
2010043806.tif 000005
【図４】
2010043806.tif 000006